(57)【要約】【課題】簡単な操作でくせ毛を直毛に矯正することができると共に、毛髪に付着した過剰な皮脂を除去することができる毛髪調整器を提供する。【解決手段】毛髪調整器１００の櫛歯部１０の歯先は、胴部２０の基部側が胴部２０の先端部側よりも高くなるように形成された上面１１Ｔと、上面１１Ｔを囲む四つの側面（先端部側の第１側面１１Ｆ、基部側の第２側面１１Ｂ、先端部側に向かって左側に位置する第３側面１１Ｌおよび先端部側に向かって右側に位置する第４側面１１Ｒ）と、上面１１Ｔから第３側面１１Ｌに亘って形成された溝部１２とを有する。また、上面１１Ｔのうち基部側には、矩形の平坦部１３が形成されており、平坦部１３を除いた部分は、平坦部１３側が第１側面１１Ｆと接する側よりも高くなっている。【選択図】図３
2020081856.tif 000002
【特許請求の範囲】
【請求項１】
所定の間隔を置いて一列に配置された複数の櫛歯部と、前記複数の櫛歯部のそれぞれの歯元を支持する胴部とを少なくとも備え、
前記複数の櫛歯部のそれぞれの歯先は、前記胴部の基部に近い側が前記胴部の先端部に近い側よりも高くなるように形成された上面と、前記胴部の前記先端部側に位置する第１側面と、前記胴部の前記基部側に位置する第２側面と、前記第１および第２側面とそれぞれ接する第３および第４側面と、前記上面から前記第３側面または前記第４側面のいずれか一方に亘って形成された溝部であって前記上面と前記第３側面または前記第４側面のいずれか一方とにその外縁線が現れる溝部とを有し、
前記上面のうち、前記胴部の前記基部側には、前記第２、第３および第４側面と接する平坦部が形成され、前記上面のうち前記平坦部を除いた部分は、前記平坦部側が前記第１側面側よりも高い傾斜部となっている、非梳き鋏毛髪調整器。
【請求項２】
前記傾斜部は、前記第３および第４側面のうち、前記溝部が形成された側が前記溝部の無い側よりも低くなっていることを特徴とする請求項１記載の非梳き鋏毛髪調整器。
【請求項３】
前記第３および第４側面のうち前記溝部が無い側と、前記傾斜部とがなす角度（θ１）は、θ１＝７０°〜８０°であることを特徴とする請求項２記載の非梳き鋏毛髪調整器。
【請求項４】
前記傾斜部は、前記歯元方向に凸な曲面形状を有することを特徴とする請求項１記載の非梳き鋏毛髪調整器。
【請求項５】
前記胴部の前記基部側に把持部を備えることを特徴とする請求項１記載の非梳き鋏毛髪調整器。
【請求項６】
前記溝部はＵ溝であることを特徴とする請求項１記載の非梳き鋏毛髪調整器。
【発明の詳細な説明】
【技術分野】
【０００１】
本発明は、毛髪調整器に関し、詳しくは、くせ毛の矯正や、毛髪に付着した過剰な皮脂の除去などに用いて好適な理美容用毛髪調整器に関する。
【背景技術】
【０００２】
くせ毛の矯正や毛髪量の調整などを目的とした理美容用の梳き鋏として、特許文献１、２に記載された梳き鋏が知られている。
【０００３】
特許文献１に記載された梳き鋏は、櫛刃が設けられた第１の鋏半部と棒刃が設けられた第２の鋏半部とをピボットにより連結したもので、第１の鋏半部の先部側における櫛刃同士の隙間は、第１の鋏半部の後部側における櫛刃同士の隙間よりも小さく形成されている。
【０００４】
また、第２の鋏半部の棒刃には、先部側の櫛刃に対応する切刃部が形成されていると共に、後部側の櫛刃に対応する止め刃部が形成されており、切刃部は、先部側櫛刃の櫛片との協働によって毛髪を切除するように構成されている。これに対し、止め刃部には切刃が形成されておらず、止め刃部と後部側櫛刃の櫛片との協働によって毛髪が切除されることはなく、カット時に毛髪が刃の隙間内に入り込むように構成されている。
【０００５】
さらに、第２の鋏半部の先部側櫛刃の先端から７本の櫛片には、毛髪を取り込むための円弧状刃先溝が形成されていると共に、残りの先部側櫛刃の櫛片および後部側櫛刃の櫛片は、刃先溝の無い尖端形状を有しており、極力毛髪を切断せずに毛髪を通す調整を行うことができるように構成されている。
【０００６】
特許文献２に記載された梳き鋏は、上記特許文献１に記載された梳き鋏を改良して毛髪の微調整を容易にしたものであり、第１の鋏半部の先部側に位置する櫛部の前列は、毛髪を取り込むための刃先溝が設けられた切断領域を有し、櫛部の後列は、刃先溝が設けられない非切断領域を有している。これに対し、第２の鋏半部には、上記切断領域および上記非切断領域に対応して切刃部が設けられている。
【０００７】
また、第１の鋏半部と第２の鋏半部とを連結するピボットと上記非切断領域との間には、第１の鋏半部と第２の鋏半部とが接触しない毛髪逃げ空間が設けられており、この毛髪逃げ空間において、上記第１の鋏半部は、上記第２の鋏半部に到達しない短歯が形成された短歯領域を有している。
【先行技術文献】
【特許文献】
【０００８】
【特許文献１】実用新案登録第３１２３７６４号
【特許文献２】特許第５９２２２１３号
【発明の概要】
【発明が解決しようとする課題】
【０００９】
従来のくせ毛矯正用梳き鋏は、毛髪をカットしながらくせ毛の矯正を行うものであることから、その操作に熟練を要するという課題があった。
【００１０】
また、毛穴の皮脂腺から分泌されて毛髪に付着した皮脂を除去するためには、毛髪のカットや、くせ毛の矯正とは別に、シャンプーやスカルプケアなどによる洗髪が必要になるという煩雑さがあった。
【００１１】
本発明は、上述した従来技術の課題を解決するためになされたものであって、その目的は、簡単な操作でくせ毛を直毛に矯正することができると共に、毛髪に付着した過剰な皮脂を除去することができる毛髪調整器を提供することにある。
【課題を解決するための手段】
【００１２】
本発明の毛髪調整器は、所定の間隔を置いて一列に配置された複数の櫛歯部と、前記複数の櫛歯部のそれぞれの歯元を支持する胴部とを少なくとも備え、前記複数の櫛歯部のそれぞれの歯先は、前記胴部の一端に近い側が前記胴部の他端に近い側よりも高くなるように形成された上面と、前記胴部の前記一端側に位置する第１側面と、前記胴部の前記他端側に位置する第２側面と、前記第１および第２側面とそれぞれ接する第３および第４側面と、前記上面から前記第３側面または前記第４側面のいずれか一方に亘って形成された溝部とを有し、前記上面のうち、前記胴部の前記他端側には、前記第２、第３および第４側面と接する平坦部が形成され、前記上面のうち前記平坦部を除いた部分は、前記平坦部側が前記第１側面側よりも高い傾斜部となっている。
【発明の効果】
【００１３】
本発明の毛髪調整器によれば、簡単な操作でくせ毛を直毛に矯正することができると共に、毛髪に付着した過剰な皮脂を除去することが可能となる。
【図面の簡単な説明】
【００１４】
【図１】実施形態に係る毛髪調整器の全体構成図である。
【図２】実施形態に係る毛髪調整器の櫛歯部の一部を拡大した側面図である。
【図３】実施形態に係る毛髪調整器の櫛歯部の歯先の詳細な形状を示す斜視図である。
【図４】実施形態に係る毛髪調整器の櫛歯部の歯先の詳細な形状を示す斜視図である。
【図５】実施形態に係る毛髪調整器の溝部の別例を示す斜視図である。
【図６】実施形態に係る毛髪調整器の使用方法を説明する図である。
【図７】実施形態に係る毛髪調整器の把持部の別例を示す全体構成図である。
【発明を実施するための形態】
【００１５】
以下、図面を参照しながら本発明に係る毛髪調整器の好適な実施形態について詳細に説明する。
【００１６】
図１は、本実施形態に係る毛髪調整器の全体構成図である。図１に示す本実施形態の毛髪調整器１００は、等間隔で一列に配置された複数の櫛歯部１０と、これらの櫛歯部１０の歯元を支持する板状の胴部２０と、胴部２０の基部側に設けられた把持部３０とを一体に形成したものである。把持部３０には、毛髪調整器１００を片手で把持するための指掛けリング３１と小指掛け部材３２とが設けられている。
【００１７】
図２は、毛髪調整器１００に設けられた複数の櫛歯部１０の一部（図１の矩形枠ＩＩで囲んだ部分）を拡大した側面図である。図２に示すように、複数の櫛歯部１０は、それぞれの歯先がほぼ同一の高さとなるように形成されている。また、それぞれの櫛歯部１０の歯先は、胴部２０の基部側（把持部３０に近い側）が胴部２０の先端部側よりも高くなるように形成されている。
【００１８】
図３は、上記櫛歯部１０の歯先の詳細な形状を示す斜視図である。図３に示すように、櫛歯部１０の歯先は、胴部２０の基部側が胴部２０の先端部側よりも高くなるように形成された上面１１Ｔと、上面１１Ｔを囲む四つの側面（先端部側の第１側面１１Ｆ、基部側の第２側面１１Ｂ、先端部側に向かって左側に位置する第３側面１１Ｌおよび先端部側に向かって右側に位置する第４側面１１Ｒ）と、上面１１Ｔから第３側面１１Ｌに亘って形成された溝部１２とを有する。
【００１９】
また、上面１１Ｔの一部（基部側）には、第２側面１１Ｂ、第３側面１１Ｌおよび第４側面１１Ｒと接する矩形の平坦部１３が形成されている。そして、上面１１Ｔのうち平坦部１３を除いた部分は、平坦部１３側が第１側面１１Ｆと接する側よりも高くなっており、特に中央部が下方向（歯元方向）に凸な曲面形状を有する傾斜部１４となっていることが好ましい。
【００２０】
さらに、図４に示すように、上面１１Ｔの傾斜部１４は、第４側面１１Ｒ側が第３側面１１Ｌ側よりも高くなっていることが好ましい。言い換えると、傾斜部１４と第４側面１１Ｒとがなす角度（θ１）は９０°未満となっていることが好ましく、θ１＝７０°〜８０°程度になっていることがより好ましい。また、傾斜部１４と第１側面１１Ｆとがなす角度（θ２）は、例えば８５°程度である。
【００２１】
上面１１Ｔの寸法は、縦×横＝０．８ｍｍ〜０．９ｍｍ×０．８ｍｍ〜０．９ｍｍ程度であり、櫛歯部１０の配列方向に剃った平坦部１３の寸法は０．３ｍｍ程度である。また、溝部１２は、毛髪を梳くときに１本〜２本の毛髪が入り込む程度の内径を有している。溝部１２の形状は、図示のようなＵ溝であることが好ましいが、図５に示すようなＶ溝としてもよい。
【００２２】
本実施形態の毛髪調整器１００は、プラスチック、セラミックス、金属などで形成することができるが、上述した櫛歯部１０の歯先形状の加工性や耐久性、耐衝撃性などを考慮すると、ステンレス（ＳＵＳ）などの金属で形成することが好ましい。
【００２３】
上述した歯先形状を有する櫛歯部１０を備えた本実施形態の毛髪調整器１００を使用して毛髪を調整するには、まず、片手で把持部３０を把持し、図６に示すように、胴部２０を頭皮Ｓに向けたまま頭皮Ｓに沿ってスライドさせるように毛髪Ｈに挿入する。
【００２４】
このようにすると、櫛歯部１０の歯先と接触した箇所の毛髪Ｈが歯先の上面１１Ｔの傾斜部１４に乗り上げ、次いで溝部１２の中に入り込む。このとき、櫛歯部１０の歯先の最上端部、すなわち平坦部１３は、毛髪Ｈを傾斜部１４に乗せるガイド部として機能する。
【００２５】
また、傾斜部１４は、その中央部が下方向（歯元方向）に凸な曲面形状を有しているので、傾斜部１４が直線的に傾斜している場合や、傾斜部１４の中央部が上方向に凸な曲面形状を有している場合に比べて毛髪Ｈが傾斜部１４に乗り易い。さらに、傾斜部１４は、溝部１２が形成された第３側面１１Ｌ側が溝部１２の無い第４側面１１Ｒ側よりも低くなっているので、傾斜部１４に乗った毛髪Ｈが溝部１２に入り易い。
【００２６】
このようにして溝部１２に入り込んだ毛髪Ｈは、毛髪調整器１００を頭皮Ｓに沿ってスライドさせることにより、その表面が溝部１２によって梳かれることになる。従って、歯先の上面１１Ｔの傾斜部１４に乗り上げた毛髪Ｈが捻れたり湾曲して互いに絡み合ったくせ毛である場合には、くせ毛同士の絡みが溝部１２によって解かれ、１本１本が直毛になる。
【００２７】
また、毛髪Ｈの表面が溝部１２によって梳かれることにより、毛髪Ｈの表面に付着した過剰な皮脂や老廃物が除去される。本実施形態の毛髪調整器１００を使用した場合は、シャンプーなどを使って皮脂を除去する場合と異なり、毛髪Ｈの表面にある程度の皮脂が残るので、毛髪Ｈに自然な艶や潤いが出るという効果も得られる。
【００２８】
さらに、櫛歯部１０を支持する胴部２０を頭皮Ｓに押し当ててスライドさせる操作を繰り返すことにより、頭皮Ｓのマッサージ効果が得られるので、頭皮Ｓの血行が良くなるという効果も得られ、且つ毛根の汚れが除去される。これにより、毛髪Ｈへの栄養分の供給が増えるので、育毛効果が促進され、毛根の生えグセが修正される、毛髪Ｈにコシ（弾力）やハリ（強さ）が出る、ヤセ髪が改善される、といった種々の効果も期待できる。
【００２９】
このようにして本実施形態の毛髪調整器１００を頭皮Ｓに沿ってスライドさせる操作を髪全体あるいはくせ毛の多い箇所で繰り返すことにより、くせ毛を直毛に矯正することができると共に、毛髪Ｈに自然な艶や潤いを出すことができる。
【００３０】
また、本実施形態の毛髪調整器１００は、くせ毛矯正機能を兼ね備えた従来の梳き鋏のように毛髪をカットするものではないので、毛髪の長さを変えることなく、くせ毛を直毛に矯正することができる。
【００３１】
また、本実施形態の毛髪調整器１００は、櫛歯部１０を支持する胴部２０を頭皮Ｓに沿ってスライドさせるだけの簡単な操作でくせ毛を容易に矯正することができるので、くせ毛矯正機能を兼ね備えた従来の梳き鋏のように、使用に際して熟練を必要としない。さらに、２本の鋏半部をピボットで連結した梳き鋏に比べて部品点数が半分程度になり、重量も半分程度となるので、製造コストも梳き鋏の半分程度で済み、かつ非常に軽量であることから操作性も高い。従って、美容室や理容室での使用のみならず、一般家庭で使用者が自身の毛髪の調整を簡単に行うことができるという利便性も兼ね備えている。
【００３２】
以上、本発明者によってなされた発明をその実施形態に基づき具体的に説明したが、本発明は前記実施形態に限定されるものではなく、その要旨を逸脱しない範囲で種々変更可能であることは言うまでもない。
【００３３】
前記実施形態では、上面１１Ｔから第３側面１１Ｌに亘って溝部１２が形成された場合を例示したが、上面１１Ｔから第４側面１１Ｒに亘って溝部１２が形成されていてもよい。この場合、傾斜部１４は、第３側面１１Ｌ側が第４側面１１Ｒ側よりも高くなっていることが好ましく、傾斜部１４と第３側面１１Ｌとがなす角度が７０°〜８０°程度になっていることがより好ましい。
【００３４】
前記実施形態では、把持部３０に指掛けリング３１と小指掛け部材３２とを設けたものを例示したが、把持部３０は、毛髪調整器１００を片手で安定して把持できる形状であれば、必ずしも指掛けリング３１や小指掛け部材３２がなくてもよく、例えば図７に示すように、棒状の把持部３０としてもよい。
【００３５】
また、複数の櫛歯部１０は、それらの全てが等間隔で配置されていなくてもよく、例えば櫛歯部１０同士の間隔を先端部側と基部側とで異ならせてもよい。
【符号の説明】
【００３６】
１０：櫛歯部
１１Ｆ：第１側面
１１Ｂ：第２側面
１１Ｌ：第３側面
１１Ｒ：第４側面
１２：溝部
１３：平坦部
１４：傾斜部
２０：胴部
３０：把持部
３１：指掛けリング
３２：小指掛け部材
１００：毛髪調整器
【図１】
2020081856.tif 000003
【図２】
2020081856.tif 000004
【図３】
2020081856.tif 000005
【図４】
2020081856.tif 000006
【図５】
2020081856.tif 000007
【図６】
2020081856.tif 000008
【図７】
2020081856.tif 000009